(57)【要約】  本発明は概して、電気バッテリシステムが内部に埋め込まれた、製造された建築材料を含むエネルギー貯蔵システムに関する。製造された材料は概して、建物、フローリング、カウンタートップ、あるいは階段用の内装または外装に有用なパネルなどの建築用パネルとして提供される。パネルは、建築材料によってオーバー形成され、および／または建築材料と結合される少なくとも１つのバッテリ装置またはバッテリアセンブリを有する。好ましい実施形態では、パネルは、粘性建築材料前駆体をバッテリ装置またはアセンブリの周りに流し、建築材料を固化するように前駆体を硬化させることによって形成される。パネルは、エネルギー貯蔵システムの特定の用途に基づいて選択することができる任意の数の様々な配置で電気的に接続することができる。【選択図】図１
2020514595.tif 000002
【特許請求の範囲】
【請求項１】
少なくとも１つのバッテリセルを含み、かつ製造された建築材料内に埋め込まれた少なくとも１つのバッテリアセンブリを有する一体型エネルギー貯蔵システムを有する建築用パネルであって、前記少なくとも１つのバッテリアセンブリは、外面を有し、前記外面の大部分は、前記建築材料によってオーバー形成され、および／または前記建築材料に結合され、前記少なくとも１つのバッテリアセンブリは、前記少なくとも１つのバッテリアセンブリを、前記パネルの外部にある電気回路と接続するように動作可能な電気コネクタを有する、建築用パネル。
【請求項２】
前記建築材料は、合成樹脂材料、コンクリート、セラミック、ガラス、石英、木材チップ、おがくず、漆喰、石膏、ガラス繊維、およびカーボン繊維からなる群から選択される１つ以上の部材を有する、請求項１に記載の建築用パネル。
【請求項３】
前記建築材料は、前記バッテリセルが、前記建築材料を通して見えないように不透明である、請求項１に記載の建築用パネル。
【請求項４】
前記パネルは、前記バッテリセルの状態または動作の少なくとも１つの態様を監視および／または制御するように動作可能な前記少なくとも１つのバッテリアセンブリに関連付けられた電子回路をさらに有する、請求項１に記載の建築用パネル。
【請求項５】
前記電子回路は、前記建築材料内に埋め込まれている、請求項４に記載の建築用パネル。
【請求項６】
前記パネルは、前記パネルを壁取付構造体に固定するように構成された締結要素をさらに有する、請求項１に記載の建築用パネル。
【請求項７】
前記パネルは、複数のバッテリアセンブリを有する、請求項１に記載の建築用パネル。
【請求項８】
前記バッテリアセンブリは、直列または並列に電気的に接続された複数のバッテリセルを有する、請求項１に記載の建築用パネル。
【請求項９】
前記建築用パネルは、耐候性を有するように構成された少なくとも１つの表面を有する、請求項１に記載の建築用パネル。
【請求項１０】
前記建築用パネルは、前記パネルの長さ寸法または幅寸法のいずれかの２５％未満である厚さ寸法を有する、請求項１に記載の建築用パネル。
【請求項１１】
前記バッテリアセンブリは、前記バッテリアセンブリの状態または動作の少なくとも１つの態様を監視および／または制御するように動作可能な前記少なくとも１つのバッテリセルに関連付けられた電子回路を有する、請求項１に記載の建築用パネル。
【請求項１２】
外面を有し、前記外面の大部分が製造された建築材料と接触および／または結合している少なくとも１つのバッテリ装置を有する一体型エネルギー貯蔵システムを有する建築用パネルであって、前記少なくとも１つのバッテリ装置は、前記建築材料内に埋め込まれ、前記パネルは、前記少なくとも１つのバッテリ装置を粘性建築材料前駆体内に埋め込ませるように、前記少なくとも１つのバッテリ装置の周辺に粘性建築材料前駆体を流して、前記粘性建築材料を固化させるように前記粘性建築材料前駆体を硬化させて、それによって前記建築材料を形成することによって形成される、建築用パネル。
【請求項１３】
前記少なくとも１つのバッテリ装置は、少なくとも１つのバッテリセルを有する、請求項１２に記載の建築用パネル。
【請求項１４】
前記少なくとも１つのバッテリ装置は、少なくとも１つのバッテリセルを取り外し可能に受容するように構成されたスリーブを有する、請求項１２に記載の建築用パネル。
【請求項１５】
請求項１〜１１のいずれかに記載の建築用パネルを複数有する壁構造体。
【請求項１６】
前記複数のパネルは、取付構造体に取り外し可能に固定される、請求項１５に記載の壁構造体。
【請求項１７】
前記取付構造体は、副壁構造体に固定されたレールおよび／またはクロスメンバを有する、請求項１６に記載の壁構造体。
【請求項１８】
前記取付構造体は、前記バッテリセルに、および／または前記バッテリセルから電力を供給するように動作可能な電気回路を有する、請求項１６に記載の壁構造体。
【請求項１９】
前記複数のパネルは、前記電気回路に並列または直列に接続されている、請求項１８に記載の壁構造体。
【請求項２０】
前記壁構造体は、各パネル内に含まれる少なくとも１つのバッテリセルの少なくとも１つの動作態様の状態を監視および／または前記少なくとも１つの動作態様を制御するように動作可能な電子回路に結合されている、請求項１５に記載の壁構造体。
【請求項２１】
前記壁構造体は、外装または内装を形成する、請求項１５に記載の壁構造体。
【請求項２２】
建物、シェルター、施設、構造物、あるいはそれらの任意の部分に電力を供給する方法であって、請求項１〜１１のいずれかに記載の複数の建築用パネルを有する壁を、前記建物、前記シェルター、前記施設、前記構造物、あるいはそれらの任意の部分の表面に設置する工程と、前記複数の建築用パネルを、電力源に結合された電気回路に接続する工程と、少なくとも１つの前記パネルの少なくとも１つのバッテリセルを充電するために前記電力源を使用する工程と、前記少なくとも１つのパネルを前記電力源から選択的に断線して、前記建物、前記シェルター、前記施設、前記構造物、あるいはそれらの任意の部分内で使用するための前記少なくとも１つのパネル内に埋め込まれた前記少なくとも１つのセルから電力を回収する工程とを有する方法。
【請求項２３】
前記壁の設置は、前記複数の建築パネルを取付構造体に取り外し可能に固定することを有する、請求項２２に記載の方法。
【請求項２４】
前記壁面の設置は、建物の内装または外装を形成することを有する、請求項２３に記載の方法。
【請求項２５】
前記電力源は、公益企業または独立型の電力システムである、請求項２２に記載の方法。
【請求項２６】
前記少なくとも１つのバッテリセルを充電するために使用される前記電気回路は、前記シェルター、前記施設、前記構造物、あるいはそれらの任意の部分内で使用するための前記セルから回収された電力を供給するためにも、少なくとも使用することができる、請求項２２に記載の方法。
【請求項２７】
充電のために使用される前記電気回路は、要求に基づいて、セルに、および／またはセルから電力を分配するための、および／または、並列配置から直列配置にセルを切り替えるための制御システムを有する、請求項２６に記載の方法。
【請求項２８】
一体型エネルギー貯蔵システムを有する建築用パネルを製造する方法であって、少なくとも１つのバッテリ装置が粘性建築材料前駆体内に埋め込まれるように前記少なくとも１つのバッテリ装置の周辺に前記粘性建築材料前駆体を流す工程と、前記粘性建築材料を固化させるように前記粘性建築材料前駆体を硬化させて、それによって、前記建築材料内に前記バッテリ装置を少なくとも部分的に収容する工程とを有する方法。
【請求項２９】
前記流す工程は、前記粘性建築材料前駆体を型に導入することを有する、請求項２８に記載の方法。
【請求項３０】
前記粘性建築材料前駆体が前記バッテリ装置の周辺に導入される前に、前記バッテリ装置は、前記型内に垂れ下げられる、請求項２９に記載の方法。
【請求項３１】
前記粘性建築材料前駆体は、合成樹脂材料、コンクリート、セラミック、石英、ガラス、木材チップ、おがくず、漆喰、石膏、ガラス繊維、およびカーボン繊維からなる群から選択される１つ以上の部材を有する、請求項２８に記載の方法。
【請求項３２】
前記硬化させる工程は、前記粘性建築材料前駆体内で合成樹脂材料を重合させることを有する、請求項２８に記載の方法。
【発明の詳細な説明】
【技術分野】
【０００１】
関連出願
本出願は、２０１６年１２月１５日に出願された米国仮特許出願第６２／４３４，８６９号の利益を主張し、その全体を参照により本明細書に援用する。
【０００２】
発明の分野
本発明は、概して、一体型エネルギー貯蔵システムが内部に埋め込まれた、内装および外装パネル、フローリングパネル、カウンタートップ、あるいは階段等の建築材料に関する。
【背景技術】
【０００３】
先行技術の説明
分散型エネルギー貯蔵システムは、セキュリティシステム用に臨界負荷を維持すること、停電中にバックアップ電力を供給すること、電気感応機器用に電力品質を維持すること、機器への損傷を防止するためのサージ保護を提供すること、ピーク使用時により高いレートを回避するために電気負荷を移行させること、および再生可能エネルギー発生システムに対して貯蔵および回収を提供すること等、多くの用途で使用されている。しかしながら、従来のエネルギー貯蔵システムは、多くの欠点を有する。例えば、従来のシステムは、非常にかさばり、建物内において大量の空間を占める。多くの場合、部屋全体は、従来のエネルギー貯蔵システムの収容および維持専用となる。それらは、機能的な目的を果たすが、従来のシステムは、典型的には美的な魅力がなく、システムを隠すための努力を行わなければならない。さらに、従来のシステムを建物および家の内部に設置し、維持することは、しばしば時間がかかり、費用もかかる。最後に、バッテリの基本構成要素（すなわち、バッテリセル）は、接続されると、構造全体にわたってより分散され、それによって、１つのセルまたは部品が熱イベントを開始した場合に、伝播保護の点において、他に類を見ない安全上の利点を提供するように、エネルギー貯蔵解決策を建物構造に組み込むことが困難であることが証明されている。専用の貯蔵空間をほとんどまたは全く必要としない、安全で、見えない、あるいは美的に魅力があるエネルギー貯蔵システムが必要とされている。
【発明の概要】
【０００４】
発明の概要
本発明の一実施形態では、一体型エネルギー貯蔵システムを有する建築用パネルが提供される。建築用パネルは、少なくとも１つのバッテリセルを含み、かつ製造された建築材料内に埋め込まれた少なくとも１つのバッテリアセンブリを有する。少なくとも１つのバッテリアセンブリは、外面を含み、外面の大部分は、建築材料によってオーバー形成され、および／または建築材料に結合される。少なくとも１つのバッテリアセンブリは、少なくとも１つのバッテリアセンブリを、パネルの外部にある電気回路に接続するように動作可能な電気コネクタを有する。また、複数の建築用パネルを含む壁構造体も提供される。
【０００５】
別の実施形態では、建物、シェルター、施設、あるいはそれらの任意の部分に電力を供給する方法が提供される。本方法は、本明細書中に記載されるような複数の建築用パネルを含む建物の表面上に壁を設置する工程と、複数の建築用パネルを、電力源に結合された電気回路に接続する工程とを有する。本方法はさらに、電力源を使用して、少なくとも１つのパネルの少なくとも１つのバッテリセルを充電する工程と、少なくとも１つのパネルを電力源から選択的に断線する工程と、建物内で使用するための少なくとも１つのパネル内に埋め込まれた少なくとも１つのセルから電力を回収するステップとを有する。
【０００６】
さらに別の実施形態では、少なくとも１つのバッテリ装置を有する一体型エネルギー貯蔵システムを有する建築用パネルが提供される。バッテリ装置は、外面を有し、外面の大部分は、製造された建築材料と接触および／または結合している。少なくとも１つのバッテリ装置は、建築材料内に埋め込まれる。パネルは、少なくとも１つのバッテリ装置を粘性建築材料前駆体内に埋め込むように、少なくとも１つのバッテリ装置の周辺に粘性建築材料前駆体を流して、粘性建築材料を固化させるように粘性建築材料前駆体を硬化させて、それによって建築材料を形成するによって形成される。
【０００７】
さらに別の実施形態では、一体型エネルギー貯蔵システムを有する建築用パネルを製造する方法が提供される。本方法は、少なくとも１つのバッテリ装置が粘性建築材料前駆体内に埋め込まれるように少なくとも１つのバッテリ装置の周辺に粘性建築材料前駆体を流す工程を有する。本方法はさらに、粘性建築材料を固化させるように粘性建築材料前駆体を硬化させて、それによって、建築材料内にバッテリ装置を少なくとも部分的に収容する工程を有する。
【図面の簡単な説明】
【０００８】
図面の簡単な説明
【図１】図１は、本発明の一実施形態による複数の建築用パネルを有する壁構造体の部分正面図である。
【図２】図２は、図１の壁構造体の一実施形態による内部構成要素を示す拡大断面図である。
【図３】図３は、図１の壁構造体の別の実施形態による内部構成要素を示す拡大断面図である。
【図４】図４は、図１の壁構造体の別の実施形態による内部構成要素を示す拡大断面図である。
【図５】図５は、図１の壁構造体の別の実施形態による内部構成要素を示す拡大断面図である。
【図６】図６は、本発明の一実施形態による、バッテリセルが埋め込まれた建築用パネルの正面図である。
【図７】図７は、本発明の一実施形態による、バッテリ装置が内部に埋め込まれ、かつバッテリセルを取り外し可能に受容するように構成された建築用パネルを示す斜視図である。
【図８】図８は、図７の実施形態による建築用パネルのバッテリ装置内に受容されたバッテリセルを示す斜視図である。
【図９】図９は、本発明の一実施形態による、パネル内に埋め込まれたバッテリ装置内に受容された２つのバッテリセルを有する建築用パネルを示す背面斜視図である。
【発明を実施するための形態】
【０００９】
好ましい実施形態の詳細な説明
本発明の実施形態は、一体型エネルギー貯蔵システムで使用するための建築用パネルに関する。エネルギー貯蔵システムは、ある量の化学エネルギーを貯蔵することが可能であり、例えば、パネルを有する建物、シェルター、あるいは施設に電力を供給したい場合に、化学エネルギーを電気エネルギーに変換することが可能である。１つ以上の実施形態では、エネルギー貯蔵システムは、個々のパネル、複数のパネル、あるいは壁全体、床、カウンタートップ、階段、あるいはそれらの任意の部分を有してもよい。エネルギー貯蔵システムは、概して、１つ以上の建築用パネル内に埋め込まれた少なくとも１つのバッテリアセンブリを有する。１つのバッテリアセンブリまたは複数のバッテリアセンブリは、分離した電力を提供するために個別に使用することができ、または、複数の建築用パネルを有する壁構造体、床材、カウンタートップ、あるいは階段を通してより広範な電力を提供することができる。図１を参照すると、一体型エネルギー貯蔵システムは、壁取付構造体３０に固定された複数の建築用壁パネル２０から構成された壁構造体１０として提供されている。複数のパネルは、壁構造体１０内に構造的かつ電気的に一体化した少なくとも１つのバッテリアセンブリ４０を有する。
【００１０】
パネル２０は、概して、製造された建築材料から構成されている。本明細書中で使用される「製造された」建築材料は、自然界に存在せず、美的な壁装剤、クラッディング、ファサード、フローリング、カウンタートップ、あるいは階段として使用されるように構成された人工の材料または加工された材料を指す。製造された建築材料は、未処理または純粋な粘土、石、および木材などの、原料または未処理の建築材料は含まない。しかしながら、製造された建築材料は、それを構成する原料または天然材料とは異なる形態、構造、および／または機能の材料を生成するように処理された原料または天然材料から形成されてもよい。例えば、製造された建築材料は、原料を粉砕して粒子にし、粉砕された材料をバインダーまたは他の合成材料と混合することによって形成されてもよい。特定の実施形態では、製造された建築材料は、合成樹脂材料、コンクリート、セラミックス、石英、ガラス、木材チップ、おがくず、漆喰、石膏、ガラス繊維、および炭素繊維からなる群から選択される１つ以上の部材を有する。製造された建築材料は、バッテリアセンブリ４０と共に使用するのに好ましい熱特性を提供するように選択され得る。特定の実施形態では、建築材料は、太陽放射等の外部熱源からバッテリアセンブリを絶縁するように動作するであろう比較的低い熱伝導率を有してもよい。他の実施形態では、建築材料は、バッテリアセンブリから熱を回収する役目を果たす特定のヒートシンク品質を有することが可能となるように、十分な熱伝導率を有してもよい。いずれのシナリオにおいても、建築材料は、動作環境および条件の範囲にわたって、バッテリセルのより効率的な動作を可能にすることができる。特定の実施形態では、製造された建築材料は、約０．０５〜約１０Ｗ／（ｍ・Ｋ）、約０．１〜約７．５Ｗ／（ｍ・Ｋ）、より好ましくは約０．５〜約５Ｗ／（ｍ・Ｋ）の熱伝導率を有してもよい。使用される特定の材料は、美的および機能的考慮事項を含む多くの要因に依存し得る。
【００１１】
特定の好ましい実施形態では、パネル２０は、本明細書中に記載されるように、少なくとも１つのバッテリ装置またはアセンブリを粘性建築材料前駆体でオーバー形成することによって製造される。本明細書中で使用される「オーバー形成」は、粘性建築材料前駆体内にバッテリ装置を埋め込ませるように、粘性建築材料前駆体をバッテリ装置の周辺に流すプロセスを指す。オーバー形成はまた、物体が型キャビティに挿入され、粘性材料が型と物体との間の空間に導入されるオーバーモールディングの概念を含む。粘性建築材料前駆体は、典型的には本明細書中に記載されている１つ以上の製造された建築材料の液体形態または半液体形態を有する。粘性前駆体は、オーバー形成の前に処理（例えば、加熱）されてもよい。特定の実施形態では、粘性建築材料前駆体は、型に流入させることによって所望通りに成形される。そのような実施形態では、バッテリ装置またはアセンブリは、前駆体が電池装置の大部分（５０％超）、７０％超、９０％超、または９５％超の周辺に流され、接触することができるように、前駆体が流される前に、型内に垂れ下げられてもよい。このように、本発明の実施形態で利用されるオーバー形成プロセスは、プラスチック産業で一般に使用されるオーバーモールディングプロセスと同様である。次に、粘性建築材料前駆体は、粘性建築材料を固化させるように硬化されて、製造された建築材料内にバッテリ装置を少なくとも部分的に収容する。特定の実施形態では、粘性建築材料前駆体は、合成樹脂材料を前駆体内で重合させることによって、硬化される。しかしながら、硬化の方法は、前駆体材料の化学的性質に依存することが理解されるのであろう。例えば、粘性建築材料前駆体は、前駆体を加熱、冷却、および／またはＵＶ光にさらすことによって硬化されてもよい。
【００１２】
パネル２０は、概して、パネル２０が壁構造体１０に固定される場合に見えるように意図された表面２２を有し、よって、表面２２は、美的な好みに合わせて製作される。特定の実施形態では、表面２２が建物の外部ファサードの一部を形成するように、耐候性であるように構成されている。本明細書中に使用される「耐候性」とは、表面が、風、雨、あるいは太陽の影響に耐えることができる一方で、その外観および一体感を保持することができることを意味する。有利には、耐候性表面２２は、湿気がバッテリアセンブリ４０の電気部品に接触して損傷するのを防止するように機能することができる。このような実施形態では、パネル２０は、耐候性のある建築材料から構成されることが好ましいが、パネル２０が例えば耐候性コーティングで処理される場合には、非耐候性の材料を使用してもよい。好ましい実施形態では、パネルは、バッテリアセンブリ４０を隠すように設計され、よって、建築材料は、光を透過しないように不透明であり、バッテリアセンブリ４０は、建築材料を通して見えない。パネル２０は、様々な形状およびサイズで構築されてもよく、湾曲または平坦であってもよい。しかしながら、好ましい実施形態では、パネル２０は、長さまたは幅寸法のいずれかの約２５％未満、約１５％未満、約１０％未満、あるいは５％未満の厚さ寸法を有する直角プリズムの形状である。特定の実施形態では、パネル２０は、構造的に耐荷重性であるように設計された建築材料とは対照的に、比較的薄い板状の構造物である。
【００１３】
上述したように、少なくとも１つのバッテリアセンブリ４０は、壁構造体１０内に一体化されている。本明細書中で使用される「バッテリアセンブリ」は、任意のバッテリスリーブ、バッテリケーシングあるいはカバー、バッテリセル、電気接続部（例えば、ワイヤ）、センサ、コントローラ、インジケータライト、および安全部品を含む、本発明の電気エネルギー貯蔵およびバッテリ一体化の側面に関連する様々なデバイスまたは構成要素のうちの１つまたは複数を指す。特定の実施形態では、バッテリアセンブリ４０は、建物構造によって担持されるような外部回路を含まないが、電源は、概して、パネル２０の外部にある電気回路にバッテリアセンブリ４０を接続するように動作可能な電気コネクタを有する。特定の実施形態では、バッテリアセンブリ４０はさらに、（図６に示すように）少なくとも１つのバッテリセル、好ましくは複数のバッテリセルを含むバッテリ装置を有する。
【００１４】
特定の実施形態では、バッテリアセンブリ４０は、パネル２０内に埋め込まれたバッテリ装置４３を有する。本明細書中で使用される「バッテリ装置」は、バッテリアセンブリ４０を有する構成要素のうちの１つ、いくつか、あるいはすべてを指す。例えば、図７および図８の実施形態に示すように、バッテリ装置４３は、バッテリセル４６が取り外し可能に受容される保護スリーブ４４であってもよい。保護スリーブ４４は、バッテリセル４６をスリーブ４４内に完全に収容するように、または封止するように、蓋４５を有してもよい。しかしながら、特定の他の実施形態では、バッテリ装置４３は、１つまたは複数のバッテリセル、電気接続部、センサ、コントローラ、インジケータライト、および保護部品（例えば、保護スリーブ）を含む、バッテリアセンブリ４０の部品の一部またはすべてを含む。
【００１５】
図２〜図５の実施形態に示すように、埋め込まれたバッテリ装置４３（またはバッテリアセンブリ４０）は、パネル２０が一体構造を形成するように、建築材料によってオーバー形成され、および／または建築材料と結合した外面４２を有し、これによって、パネル２０の機能を破損またはその他の方法で破壊することなく、バッテリ装置がパネル２０と不可分になる。特定の実施形態では、外面４２の大部分（５０％超）、７０％超、９０％超、あるいは９５％超は、建築材料によってオーバー形成され、および／または建築材料と結合し、および／または概して、建築材料と直接接触する。特定の実施形態では、パネル２０は、複数のバッテリ装置および／または複数のバッテリアセンブリを有する。同時に、または代替的に、バッテリ装置４３またはアセンブリ４０（または複数のバッテリ装置または複数のアセンブリ）は、各々、複数のバッテリセル４６を有してもよい。例えば、図９に示すように、（対応するカソード４７ａおよび４７ｂおよび対応するアノード４９ａおよび４９ｂを有する）２つのバッテリセル４６ａおよび４６ｂは、パネル２０のスリーブ４４内に受容され、内部配線４１を介して直列に接続されてもよい。複数のバッテリアセンブリ、装置、および／またはバッテリセルは、エネルギー貯蔵システムの特定の用途に応じて、直列および／または並列に電気的に接続されてもよい。
【００１６】
図２〜図５は、複数のバッテリアセンブリ、複数の装置、および／または複数のバッテリセルの例示的な電気的構成を示す。しかしながら、これらの配置は、単なる例として提供されており、当技術分野で知られている任意の他の電気的配置を本発明の範囲内で利用してもよいことが当業者には理解されるであろう。図２は、直列配置で電気的に接続された複数のパネル２０のバッテリアセンブリ４０を示す。電気配線３２は、１つのパネルのバッテリアセンブリからのカソード４７を、隣接するパネルの別のバッテリアセンブリからのアノード４９に接続するように構成されている。図３は、並列配置で電気的に接続された複数のパネル２０のバッテリアセンブリを示す。電気配線３２は、パネル２０ａのバッテリアセンブリ４０ａからのカソード４７ａを、パネル２０ｂのバッテリアセンブリ４０ｂからの別のカソード４７ｂに接続するように構成されている。同様の構成により、パネル２０ａおよび２０ｂのアノード（図３には図示せず）が接続されている。特定のこのような実施形態では、パネル２０は、ポート４８を有し、これにより、電気配線３２は、ポート４８ａおよび４８ｂをそれぞれ介してカソード４７ａおよび４７ｂに接続されている。図４および図５は、並列配置で電気的に接続された複数のパネル２０のバッテリアセンブリ４０を示す。電気配線３２は、１つのパネル２０ａの１つのバッテリアセンブリ４０ａからのカソード４７ａを、隣接するパネル２０ｂの第２のバッテリアセンブリ４０ｂからの別のカソード４７ｂに接続し、パネル２０ｂのバッテリアセンブリ４０ｂからのアノード４９ｂを、パネル２０ｃのバッテリアセンブリ４０ｃからの別のアノード４９ｃに接続するように構成されている。特に好ましい実施形態では、バッテリアセンブリ４０および電気配線３２は、視界から隠されている。例えば、このような好ましい実施形態では、バッテリアセンブリ４０またはパネル２０の外部の電気配線３２の一部は、可視面２２の反対側の背面２３（例えば、背面２３上のポート４８）を介して接続されるであろう。
【００１７】
バッテリセル（または複数のセル）の種類は、エネルギー貯蔵システムの特定の用途によって選択することができる。バッテリセルの化学的性質は、当該分野で知られ、かつ理解されており、任意の数の種々のバッテリセルの化学的性質を使用してもよい。例えば、少なくとも１つのバッテリセルは、任意の一次セルまたは二次セルの化学的性質であってもよい。特定の実施形態では、少なくとも１つのバッテリセルは、亜鉛−炭素、塩化亜鉛、アルカリ、オキシ水酸化ニッケル、リチウム（酸化銅、二硫化鉄、二酸化マンガン、フッ化炭素、および酸化クロムカソードを含む）、酸化水銀、亜鉛−空気、ザンボニー電池、酸化銀、およびマグネシウムからなる群から選択される。特定の他の実施形態では、少なくとも１つのバッテリセルは、ニッケル−カドミウム、鉛−酸、ニッケル−金属水素化物、ニッケル−亜鉛、銀−亜鉛、およびリチウムイオンからなる群から選択される二次セルの化学的性質であってもよい。他の可能な電池セルは、リチウムイオン、リチウム金属、リチウム空気、および固体電池の変形を含む。特に好ましい実施形態では、バッテリセルは、リチウムイオンバッテリセルである。しかしながら、使用されるバッテリセルの化学的性質は、所望の容量および電圧を含む多くの要因に依存することが理解されるのであろう。同様に、２つ以上のバッテリセルが使用される場合、バッテリセルの特定の配置は、これらの要因に基づいて選択されるであろう。例えば、より大きな静電容量が望まれる場合、バッテリセルは、並列回路で電気的に接続される。しかしながら、より大きな電圧が望まれる場合、バッテリセルは、電気的に直列に接続される。バッテリセルは、角柱セル、円筒セル、パウチセル、あるいはそれらの任意の組合せであってもよい。バッテリセルの特定の形状および寸法は、用途に合わせてカスタマイズすることができる。例えば、角柱セルは、最良の空間利用を提供し、一方、円筒セルは、高出力バッテリシステム用により単純な冷却オプションを提供し得る。また、パウチセルは、建築材料およびバッテリシステムの設計においてより多くの柔軟性を可能にするために使用されてもよい。特定の実施形態では、パネル２０は、バッテリセルの状態または動作の少なくとも１つの態様を監視および／または制御するように動作可能なバッテリアセンブリ３０に関連付けられた電子回路を有する。好ましい実施形態では、この電子回路は、建築材料内に埋め込まれる。
【００１８】
特定の実施形態では、パネル２０はさらに、パネル２０を壁取付構造体３０に固定するように構成された締結要素２４を有する。締結要素２４は、様々な締結具のいずれであってもよく、締結要素２４の特定の設計および構成は、パネル２０のサイズおよび重量、壁構造体１０が内壁であるか外面であるか、およびエネルギー貯蔵システムの特定の用途に対する安全上の考慮事項等の様々な要因に依存するであろう。図２〜図５の実施形態に示されるように、締結要素２４は、パネル２０が取付構造体３０に取り外し可能に接続されるように、取付構造体３０の受容部分３４に挿入されるように構成され得る。特定の実施形態では、締結要素２４は、パネル２０を取付構造体３０に構造的に固定するだけでなく、バッテリアセンブリ４０の埋め込み部分と電気配線３２との間に電気的接続を提供するように機能する役割を果たすことができる（図４および図５を参照）。しかしながら、特定の他の実施形態では、締結要素２４は、バッテリアセンブリ４０に対して電気接続を提供しない（図２および図３を参照）。当業者であれば、図２〜図５に示す実施形態は、単に例示的な締結機構であり、選択された機構がパネル２０を取付構造体３０に固定することができる限り、任意の数の他の締結機構を使用してもよいことを理解するのであろう。
【００１９】
同様に、取付構造体３０は、種々の形態のいずれかであってもよく、特定の設計および構成は、パネル２０のサイズおよび重量、壁構造体１０が内壁であるか外面であるか、および安全上の考慮事項等の要因に依存する。しかしながら、特定の実施形態では、取り付け構造３０は、図１〜図５に示すように、副壁構造体５０に取り付けられたレールおよび／またはクロスメンバを有する。図４および図５に示すように、特定の実施形態では、取付構造体３０は、例えば締結要素２４を介してバッテリセルに電力を供給し、および／またはバッテリセルから電力を供給するように動作可能な電気回路３６を有する。そのような実施形態では、電気回路３６は、壁構造体１０を有する複数のパネル２０が並列または直列に接続されるように構成されてもよい。同時に、または代替的に、壁構造体１０は、各パネル２０内に含まれる少なくとも１つのバッテリセルの少なくとも１つの動作態様の状態を監視および／または動作態様を制御するように動作可能な電子回路（図示せず、電気回路３６とは別個）に結合されている。
【００２０】
本発明のエネルギー貯蔵システムは、建物、シェルター、施設、あるいは構造物（例えば、敷地または境界を分離するための建築用スクリーンまたはフェンス）またはその任意の部分に電力を供給するために使用することができる。特定の実施形態では、本方法は、壁構造体１０を建物の表面上に、例えば、内装または外装の形態で設置することを有するが、本発明の実施形態はまた、床被覆、天井、または他の建物表面を形成するために使用されてもよい。図１に最もよく示されているように、壁構造体１０は、複数のパネル２０を有している。壁構造体１０は、機能パネルと非機能パネルとの混合物を有してもよく、これにより、複数のパネルは、バッテリアセンブリを有するが、一方で、一部のパネルは、バッテリアセンブリを有さない（すなわち、一部のパネルは単に美的である）ことが理解されるのであろう。好ましい実施形態では、パネル２０は、例えば、締結要素２４のいくつかの変形例を使用することによって、パネルを取付構造体３０に取り外し可能に固定することによって設置されている。複数のパネル２０は、電気回路に接続され、電気回路は、電気配線３２と、電力源に結合された回路３６とを有することができる。電力源は、公共事業（例えば、石炭、天然ガス火力発電所、原子力発電所、風力発電所、太陽光発電所、あるいは水力発電所）または独立型電力システム（例えば、送電網外のローカルソーラー、風力、または化石燃料発電機）であってもよい。いずれにしても、電力源は、少なくとも１つ（または一部、または全部）のパネル２０内の少なくとも１つ（または一部、または全部）のバッテリセルを充電するために使用されている。バッテリセルからの電気エネルギー分配が望まれる場合、パネル２０は、電力源から選択的に断線され、電力は、建物内で使用するためにパネル２０内に埋め込まれたバッテリセル４６から回収される。特定の実施形態では、バッテリセルを充電するために使用されるのと同じ電気回路を、建物内で使用するためのセルから回収された電力を供給するために使用することもできる。そのような実施形態では、電気回路は典型的には、要求に基づいて、電力をセルに対して、および／またはセルから電力を選択的に分配するための、および／またはセルを並列から直列に切り替えるための制御システムを有するであろう。
【図１】
2020514595.tif 000003
【図２】
2020514595.tif 000004
【図３】
2020514595.tif 000005
【図４】
2020514595.tif 000006
【図５】
2020514595.tif 000007
【図６】
2020514595.tif 000008
【図７】
2020514595.tif 000009
【図８】
2020514595.tif 000010
【図９】
2020514595.tif 000011
【国際調査報告】
2020514595.tif 000012
2020514595.tif 000013
2020514595.tif 000014